(57)【要約】【課題】包装箱の側面から被包装物を容易に取り出すことができる包装箱を提供する。【解決手段】  角筒状の胴部２と、胴部２の両端を閉塞する一対の閉塞部３，４とを備える段ボール製の包装箱１において、胴部２の側壁板２２ａには、被包装物を出し入れ可能な開口部５が設けられ、開口部５の縁部には揺動自在の舌片６が複数設けられている。【選択図】図１
2018150067.tif 000002
【特許請求の範囲】
【請求項１】
角筒状の胴部と、該胴部の両端を閉塞する一対の閉塞部とを備える段ボール製の包装箱において、
前記胴部のうち高さ方向に延びる側壁板には、被包装物を出し入れ可能な開口部が設けられ、該開口部の縁部には揺動自在の舌片が複数設けられていることを特徴とする包装箱。
【請求項２】
請求項１記載の包装箱において、
前記開口部は、前記側壁板の一部を破断可能線に沿って破断することで形成されることを特徴とする包装箱。
【請求項３】
請求項２記載の包装箱において、
前記破断可能線の少なくとも一部は、前記側壁板を貫通する複数の切れ目によって形成される第１破断可能線であり、
各切れ目は、前記第１破断可能線の破断方向に交差する方向にそれぞれ延びるとともに、前記複数の切れ目は破断方向に沿って隣接するように配置され、
隣接する切れ目によって挟まれた領域は破断予定領域であって、
該破断予定領域は、その領域内部において、前記第１破断可能線を破断する際に、該第１破断可能線の破断方向に沿って破断されることを特徴とする包装箱。
【請求項４】
請求項３記載の包装箱において、
前記破断予定領域では、前記切れ目における前記開口部から遠い側の端部より開口部側と、該切れ目に隣接する他の切れ目における前記開口部から遠い側の端部より開口部側とを結ぶように破断されることを特徴とする包装箱。
【請求項５】
請求項３または４に記載の包装箱において、
前記第１破断可能線は、中央部が両端部よりも前記開口部から離れる方向に湾曲していることを特徴とする包装箱。
【請求項６】
請求項５記載の包装箱において、
前記第１破断可能線は、前記中央部から各端部に向かうに従い、各切れ目の長さが大になっていることを特徴とする包装箱。
【発明の詳細な説明】
【技術分野】
【０００１】
本発明は、側壁板から被包装物を出し入れ可能な包装箱に関する。
【背景技術】
【０００２】
従来、底部が閉塞された四角筒状の胴部を備え、該胴部の一部を構成して前後方向に対向する各側壁板の上縁に折り目線を介して連設された一対の内フラップを内方に折り曲げ、該胴部の他部を構成して左右方向に対向する各側壁板の上縁に折り目線を介して連設された一対の外フラップを内フラップ上に重合させて折り曲げ、両外フラップの先端縁を互いに突き当てて天部を閉塞し、両外フラップの先端縁が互いに突き当てられた突き当て部に沿って所定幅の封緘テープを貼着することにより天部を封緘する段ボール製の包装箱が知られている。
【０００３】
しかし上記の閉塞構造を包装箱の天部に採用すると、複数の包装箱を積み上げた状態では、上段以外の包装箱に収納された被包装物を取り出せないという不都合がある。
【０００４】
かかる不都合を解消する改良型包装箱として、前記側壁板の高さ方向中央やや下部に、水平方向に延びる不連続な切れ目により形成された水平破断可能線と、該水平破断可能線の両端を下端として該側壁板の上端縁に達する一対の垂直破断可能線とが設けられたものが知られている（特許文献１参照）。
【０００５】
この改良型包装箱によれば、水平破断可能線と垂直破断可能線とを順次破断させることで、前記側壁板を開封でき、複数の包装箱を積み上げた状態でも被包装物を取り出すことができる。
【先行技術文献】
【特許文献】
【０００６】
【特許文献１】実用新案登録第２５８１６５８号公報
【発明の概要】
【発明が解決しようとする課題】
【０００７】
しかしながら、この改良型包装箱は、側壁板開封後も強度を保持するために、開封後も該側壁板の下部を残して、該側壁板に連設された一対の側壁板を支持できるように設計する必要がある。そして、前記下部に対し、被包装物を取り出す際に手指が引っ掛かって不快感を覚えるという不都合がある。
【０００８】
上記の点に鑑み、本発明は、包装箱の側面から被包装物を容易に取り出すことができる包装箱を提供することを目的とする。
【課題を解決するための手段】
【０００９】
かかる目的を達成するために、本発明の包装箱は、角筒状の胴部と、該胴部の両端を閉塞する一対の閉塞部とを備える段ボール製の包装箱において、前記胴部のうち高さ方向に延びる側壁板には、被包装物を出し入れ可能な開口部が設けられ、該開口部の縁部には揺動自在の舌片が複数設けられていることを特徴とする。
【００１０】
本発明の包装箱は、該開口部の縁部には揺動自在の舌片が複数設けられているので、手指が該開口部の縁部に引っ掛かったときに前記舌片が揺動して引っ掛かった抵抗感を減らすので、被包装物を容易に取り出すことができる。
【００１１】
本発明の包装箱において、前記開口部は、前記側壁板の一部を破断可能線に沿って破断することで形成されることが好ましい。
【００１２】
これによれば、側壁板の強度が確保された状態で梱包して移送できるとともに、包装箱を積み上げた状態で、開口部に沿って開封させて被包装物を容易に取り出すことができる。
【００１３】
前記破断可能線の少なくとも一部は、前記側壁板を貫通する複数の切れ目によって形成される第１破断可能線であり、各切れ目は、前記第１破断可能線の破断方向に交差する方向にそれぞれ延びるとともに、前記複数の切れ目は破断方向に沿って隣接するように配置され、隣接する切れ目によって挟まれた領域は破断予定領域であって、該破断予定領域は、その領域内部において、前記第１破断可能線を破断する際に、該第１破断可能線の破断方向に沿って破断されることが好ましい。
【００１４】
これによれば、各切れ目は、前記第１破断可能線の破断方向に交差する方向にそれぞれ延びているので、側壁板が破断可能線に沿って折れ曲がることを防止することができるので、包装箱の強度を確保しつつ、開口部に沿って開封させて被包装物を容易に取り出すことができる。
【００１５】
前記破断予定領域では、前記切れ目における前記開口部から遠い側の端部より開口部側と、該切れ目に隣接する他の切れ目における前記開口部から遠い側の端部より開口部側とを結ぶように破断されることが好ましい。
【００１６】
これによれば、別途舌片を形成しなくても、破断予定領域を破断していくだけで、一の切れ目と、該一の切れ目に隣接する切れ目と、これらの開口部から遠い側の端部より開口部側同士を結ぶように破断した破断線とによって舌片が形成されるので、被包装物を容易に取り出すことができる。
【００１７】
前記第１破断可能線は、中央部が両端部よりも前記開口部から離れる方向に湾曲していることが好ましい。
【００１８】
これによれば、包装箱の強度を確保しつつ、開口部を大きくすることができるので、被包装物を容易に取り出すことができる。
【００１９】
このとき、前記第１破断可能線は、前記中央部から各端部に向かうに従い、各切れ目の長さが大になっていることが好ましい。
【００２０】
これによれば、各端部に近づくにしたがい開口部が小さくなっても、各端部付近の舌片を長くして該舌片の揺動を大きくすることができるので、手指が該開口部の縁部に引っ掛かったときの抵抗感を減らすことができるので、被包装物を容易に取り出すことができる。
【図面の簡単な説明】
【００２１】
【図１】本発明の包装箱の一実施形態を示す説明図であって、開封された状態を示す斜視図。
【図２】図１の包装箱の展開状態の平面図。
【図３】図１の包装箱を示す説明図であって、開封前の状態を示す斜視図。
【図４】図１の包装箱の開封工程を示す説明的斜視図であって、図４Ａは包装箱の第１破断段階を示す図、図４Ｂは第２破断段階を示す説明図、図４Ｃは第３破断段階を示す説明図。
【図５】第１破断段階の過程を示す説明図であって、第１破断可能線の部分拡大図。
【図６】図６は、包装箱を開梱した後の下半部を示す斜視図。
【発明を実施するための形態】
【００２２】
本発明の一実施形態を図面に基づいて説明する。本実施形態の包装箱１は、図１に示すように、角筒状の胴部２と、胴部２の上端を閉塞する天部３と、胴部２の下端を閉塞する底部４とによって直方体状に形成され、内部に図示しない複数の被包装物（例えば、ＰＥＴボトル入り飲料等）が収納されている。包装箱１は、流通、搬送用として広く用いられている、いわゆるＡ式型のものである。
【００２３】
胴部２を構成する第２側壁板２２ａ（後述する）には、前記被包装物を出し入れ可能な大きさの略五角形状の開口部５が形成されており、これにより、包装箱１は前記被包装物を出し入れ可能に開封されている。
【００２４】
開口部５の周縁下側は、略Ｖ字状に形成されている。また、該周縁下側には、コの字状の舌片６が複数設けられている。舌片６は、第２側壁板２２ａの左右方向に隣接して複数設けられている。各舌片６は、下端側を軸として包装箱の内部方向と外部方向とに揺動することができる。
【００２５】
包装箱１は、図２に示すように、大略矩形状に打抜いて形成された段ボール板紙１０により組み立てられる。
【００２６】
段ボール板紙１０は、図２において展開して示すように、一対の第１側壁板２１ａ、２１ｂと、一対の第２側壁板２２ａ、２２ｂとがそれぞれ胴部折目線ａを介して連設されている。各第１側壁板２１及び各第２側壁板２２は、それぞれ胴部折目線ａに沿って折り曲げられ、次いで、第１側壁板２１ａの端縁に胴部折目線ｂを介して連設された接着片２３が、該胴部折目線ｂに沿って折り曲げられて第２側壁板２２ｂの端部に接着されて図１に示す胴部２を形成する。
【００２７】
図２に示すように、各第１側壁板２１には、その下端縁に折目線ｃを介して底蓋外フラップ４１ａ、４１ｂが夫々連設されている。また、各第２側壁板２２には、その下端縁に折目線ｄを介してそれぞれ底蓋内フラップ４２ａ、４２ｂが連設されている。底部４は、各底蓋内フラップ４２を折目線ｄに沿って水平に折り曲げ、次いで、各底蓋外フラップ４１ａを折目線ｃに沿って水平に折り曲げることで形成される。
【００２８】
同様に、各第１側壁板２１には、その上端縁に折目線ｃを介して天蓋外フラップ３１ａ、３１ｂが夫々連設されている。また、各第２側壁板２２には、その上端縁に折目線ｄを介してそれぞれ天蓋内フラップ３２ａ、３２ｂが連設されている。天部３は、各天蓋内フラップ３２を折目線ｄに沿って水平に折り曲げ、次いで、各天蓋外フラップ３１を折目線ｃに沿って水平に折り曲げることで形成される。
【００２９】
各第２側壁板２２には、天部３側にミシン線ｒと折目線ｓに囲まれた一対の手指差込部２４ａ、２４ｂが形成されている。各手指差込部２４は、手指を差し込んでミシン線ｒを破断することにより、折目線ｓに沿って折り曲げ自在とされている。
【００３０】
図２に示すように、段ボール板紙１０は、上下方向の略中央部に、連続して破断可能な上部破断可能線５１と、連続して破断可能な下部破断可能線５２とが、接着片２３の左端縁から第２側壁板２２ｂの右端縁に亘って夫々形成されている。上部破断可能線５１及び下部破断可能線５２は、直線状の不連続な複数の切れ目による所謂ミシン目によってそれぞれ形成されている。
【００３１】
上部破断可能線５１及び下部破断可能線５２は、夫々大略左右方向に延びることで、両者に挟まれる領域が帯状に破断される帯状破断部５３として形成される。
【００３２】
帯状破断部５３には、第２側壁板２２ｂの左右方向の中央近傍において、上部破断可能線５１と下部破断可能線５２とを上下に切れ目線５４によってつなぐことで舌片状に遊離自在とする破断開始部５５が形成されている。
【００３３】
次いで、第２側壁板２２ａに設けられた開口部５を形成するための破断可能線について説明する。本実施形態の破断可能線は、左右方向に延びる第１破断可能線６１と、上下方向に延びる１対の第２破断可能線６２とを備える。
【００３４】
まず、第１破断可能線６１は、第２側壁板２２ａを貫通する複数の切れ目線６１ａによって形成される。各切れ目線６１ａは、上下方向にそれぞれ延びるとともに、第２側壁板２２ａの左右方向中央側から夫々左右端縁に近づくにつれて、切れ目の長さが長くなっている。
【００３５】
また、複数の切れ目線６１ａは、左右方向に隣接するとともに第２側壁板２２ａの左右端縁に近づくにつれて上方向にずれて、全体として略Ｖ字状に配置されている。
【００３６】
この結果、隣接する２つの切れ目線６１ａ、６１ａは、上下方向の位置を考えた場合に、一の切れ目線６１ａの上端が、第２側壁板２２ａの外側方向に隣接する他の切れ目線６１ａの上端から下端までの間に配置されている。
【００３７】
この隣接する２つの切れ目線６１ａ、６１ａに挟まれた領域のそれぞれが、本発明で定義される破断予定領域６１ｂに相当する。
【００３８】
第２側壁板２２ａの中央から左右方向にそれぞれ４個目までの切れ目線６１ａは、隣接する上端間を結ぶ波状切れ目線６３が設けられている。波状切れ目線６３と上部破断可能線５１とを上下に切れ目線６４によってつなぐことで舌片状に遊離自在とする幅広破断開始部６５が形成されている。
【００３９】
第２破断可能線６２は、上部破断可能線５１から第２側壁板２２ａの上端縁まで上下方向に延びている。第２破断可能線６２は、直線状の不連続な複数の切れ目線６２ａによる所謂ミシン目によってそれぞれ形成されている。
【００４０】
上部破断可能線５１側から２つ目までの切れ目線６２ａは、それぞれ第２側壁板２２ａの隣在する左右端縁に向かって傾斜して延びている。
【００４１】
また、第２側壁板２２ａの上端縁側から２つ目までの切れ目線６２ａの下端には、それぞれ、該下端から内側に向かって傾斜しながら下方に延びる補助切れ目線６２ｂが設けられている。
【００４２】
次に、図４を参照して、包装箱１に開口部５を設ける開封作業を説明する。
【００４３】
まず、幅広破断開始部６５を摘んで夫々左右方向に引っ張る。これにより、図４Ａに示すように、上部破断可能線５１と第１破断可能線６１とに沿って、第２側壁板２２ａが帯状に引き裂かれる。
【００４４】
この第１破断可能線６１の破断について、図５を参照して説明する。図５では、理解容易化のため、幅広破断開始部６５及びこれに繋がって破かれた帯状片は省略したうえで第２側壁板２２ａの右側だけを示している。
【００４５】
まず、波状切れ目線６３と切れ目線６４は、第２側壁板２２ａから切り離されているため、上部破断可能線５１のミシン目を破断させることで、図５Ａに示すように、幅広破断開始部６５が包装箱１の外側方向に起立させて摘むことができる。次に、図５Ａに示すように、幅広破断開始部６５を右方向（矢印で示す）に引っ張る。
【００４６】
これにより、図５Ｂに示すように、波状切れ目線６３の右端かつ切れ目線６１ａの上端から隣接する切れ目線６１ａまで、この２つの切れ目線６１ａ，６１ａで挟まれる破断予定領域６１ｂが右方向に破断されていく。このとき、本実施形態の破断予定領域６１ｂには、ミシン目や半切り線などの破断を誘導する線は設けられていない。
【００４７】
しかしながら、本実施形態の波状切れ目線６３は、振幅しながら右端部が破断方向に沿うように湾曲しているため、破断予定領域６１ｂが右方向にほぼ水平に破断される。
【００４８】
さらに、幅広破断開始部６５を右方向（矢印で示す）に引っ張ると、図５Ｃで示すように、切れ目線６１ａの上端からさらに右側に隣接する切れ目線６１ａに向けて、破断予定領域６１ｂが順次破断されていく。
【００４９】
このとき、上述した波状切れ目線６３によって水平方向に破断された勢いによって、他の破断予定領域６１ｂも水平方向に破断されやすくなっているが、そもそも、隣接する切れ目線６１ａ，６１ａのうち左側の切れ目線６１ａの上端が、右側の切れ目線６１ａの上端から下端までの間に配置されているので、右方向に水平に破断されず、若干上下に傾いて破断されたとしても、該破断は、右側の切れ目線６１ａまで達することができる。これにより、該右側の切れ目線６１ａの上端まで、幅広破断開始部６５及びこれに繋がって破かれた帯状片が階段状に延長され、これが繰り返されていく。
【００５０】
この結果、第１破断可能線６１が破断されると、隣接する切れ目線６１ａ，６１ａとが破かれることで繋がってコの字状の舌片６が形成される。舌片６は、隣接する右側の切れ目線６１ａの下端から水平方向の仮想線を軸として、あるいは、隣接する切れ目線６１ａ，６１ａの下端を結んだ仮想線を軸として、包装箱の内外方向に、折れまたは撓むことで揺動することができる。
【００５１】
次いで、これにより、開口したスペースに手指を入れ第２側壁板２２ａの上部６６を把持して、包装箱１の外側方向に引っ張る。これによって、図４Ｂに示すように、一対の第２破断可能線６２に沿って、第２側壁板２２ａが上端縁まで引き裂かれる。このとき、第２側壁板２２ａの上端縁側から２つ目までの切れ目線６２ａの下端には、それぞれ、該下端から内側に向かって傾斜しながら下方に延びる補助切れ目線６２ｂが設けられているので、引き裂く際に第２側壁板２２ａの内側に若干傾いて破断されたとしても、補助切れ目線６２ｂに達っし、これを介して次の切れ目線６２ａに破断を繋げることができる。
【００５２】
以上によって、包装箱１に開口部５を設けられ開封される。
【００５３】
なお、各第２破断可能線６２の上端から隣在する第２側壁板２２ａの頂点まで折目線ｄに沿って破ることにより、図４Ｃに示すように、上部６６を、これに連設される天蓋内フラップ３２ａとともに取り外すこともできる。
【００５４】
さらに、図５Ｃに示すように、右端の切れ目線６１ａは、その上端が下部破断可能線５２に繋がっているので、さらに幅広破断開始部６５を右方向（矢印で示す）に引っ張ると、連続して帯状破断部５３を帯状に破断される。そして、一対の帯状破断部５３を、第２側壁板２２ｂの切れ目線５４に達するまで夫々破断する。これにより、包装箱１の上部を持ち上げることでその下部から容易に分離することができる。
【００５５】
これによって、包装箱１の下部１ａは、図６に示すように、底部４を有し、四方を各第１側壁板２１及び各第２側壁板２２の下部で囲まれたトレイ状とされる。
【００５６】
以上説明した包装箱１によれば、開口部５を事後的に設けることができるので、強度が確保された状態で梱包して移送できる。その後、開口部５を設けて開封することで、被包装物を出し入れすることができる。
【００５７】
包装箱１の開口部５は、平面視短辺側であって、かつ、手指差込部２４が設けられた第２側壁板２２側に設けられている。包装箱１は、第２側壁板２２が手元側に配置されるように積み上げるので、積み上げた状態で開口部５から被包装物を出し入れすることができる。
【００５８】
開口部５を開口させる第１破断可能線６１は、上下方向に延びる切れ目線６１ａが複数隣接することによって形成されているため、包装箱１を積み上げても、第２側壁板２２ａが破断可能線に沿って折れ曲がることを防止することができる。
【００５９】
また、この第１破断可能線６１を破断するだけで舌片６を形成することができる。包装箱１は、開口部５の下縁部にこの舌片６が設けられているので、被包装物を出し入れする際に手指が該下縁部に引っかかったとしても、舌片６が揺動して抵抗感を減らすので、被包装物を容易に取り出すことができる。
【００６０】
また、第１破断可能線６１を構成する各切れ目線６１ａは、左右端縁に近づくにつれて上方向にずれて、全体として略Ｖ字状に配置されることで、各上端及び各下端がそれぞれ上下方向にずれているため、包装箱１を積み上げても、第２側壁板２２ａが破断可能線に沿って折れ曲がることをさらに防止することができる。
【００６１】
そして、第１破断可能線６１を構成する各切れ目線６１ａの上端が全体として略Ｖ字状に配置された結果、開口部５の下縁部がＶ字状に形成される。これにより、開口部５の左右方向中央側を大きくすることができるので、被包装物を容易に取り出すことができる。
【００６２】
他方、開口部５の左右端縁付近は第２側壁板２２ａの下部が大きく残っているが、第１破断可能線６１を構成する各切れ目線６１ａは、第２側壁板２２ａの左右方向中央側から夫々左右端縁に近づくにつれて切れ目の長さが長くなっているので、舌片６を長くして該舌片６の揺動を大きくすることができ、手指が引っ掛かったときの抵抗感を減らすことができる。
【００６３】
また、包装箱１は、トレイ状とされた下部１ａごとまとめて被包装物を運搬等することができる。また、トレイ状にするだけであれば、一対の破断開始部５５，５５から破断させることもできる。
【００６４】
以下、本発明の変形例を説明する。
【００６５】
本実施形態では、Ａ式型の包装箱１を例示したが、本発明はこれに限られるものではなく、ラップアラウンドケースであってもよい。また、胴部も四角筒状に限られず、３角形、６角形、８角形など他の多角筒状に構成することもできる。
【００６６】
本実施形態では、胴部２のうち第２側壁板２２ａのみに開口部５を設けたものを説明したが、本発明はこれに限られるものではなく、他の側壁板に開口部５を設けることも、複数設けることもできる。
【００６７】
本実施形態では、開口部５の周縁下側に舌片６を設けたものを例示したが、本発明はこれに限られず、開口部５の他の周縁に舌片６を設けることもできる。
【００６８】
本実施形態では、開口部５の周縁下側を略Ｖ字状に形成したものを例示したが、本発明はこれに限られるものではなく直線状にすることもできる。また、この場合には、各切れ目線６１ａの長さを一定にしてもよい。
【００６９】
本実施形態では、第２側壁板２２ａの左右端縁から所定の距離を存して開口部５を設けることで、包装箱１の耐荷重性を高めたものを例示したが、本発明はこれに限られず、第２側壁板２２ａの左右端縁に沿って、１対の第２破断可能線６２を設けることもできる。
【００７０】
本実施形態の破断予定領域６１ｂには、ミシン目や半切り線などの破断を誘導する線は設けられていないが、本発明はこれに限られるものではなくミシン目や半切り線などを設けることもできる。
【００７１】
本実施形態では、全体として略Ｖ字状に配置された第１破断可能線６１（複数の切れ目線６１ａ）であって、図５で説明すれば、左側の切れ目線６１ａの上端から発生した破断が、右側の切れ目線６１ａの上端から下端までの間に到達するものを例示したが、本発明はこれに限られるものではない。すなわち、隣接する切れ目線６１ａの下端同士が繋がるように破断しない限り舌片６が形成されるので、隣接する切れ目線６１ａの上端から下端の間同士が繋がるように破断させてもよく、特に、上端同士が繋がるように破断させると長く揺動しやすい舌片６を設けることができる。
【００７２】
本実施形態では、各波状切れ目線６３として、振幅しながら右端部が破断方向に沿うように湾曲したものを例示したが、本発明はこれに限られるものではなく、一対の波状切れ目線６３が漸次離間して全体として略ロート状に大きく湾曲したものでもよく、単に直線状の切れ目線を設けてもよい。
【符号の説明】
【００７３】
１…包装箱、２…胴部、２２ａ…側壁板、３…閉塞部（天部）、４…閉塞部（底部）５…開口部、６…舌片、６１…破断可能線（第１破断可能線）、６１ａ…切れ目（切れ目線）、６１ｂ…破断予定領域、６２…破断可能線（第２破断可能線）。
【図１】
2018150067.tif 000003
【図２】
2018150067.tif 000004
【図３】
2018150067.tif 000005
【図４】
2018150067.tif 000006
【図５】
2018150067.tif 000007
【図６】
2018150067.tif 000008